(57)【要約】【課題】  低遅延で中継現場に放送素材を送り返す際の回線効率を向上させ、コストの低減を図ることができる放送伝送システムを提供する。【解決手段】  中継局２が素材Ａデータを放送局１に送信し、トライク局３が素材Ｂデータを放送局１に送信し、放送局１が中継局２とトライク局３に送り返しデータを送信し、中継局２が、放送局１から受信した送り返しデータと、素材Ａデータとを異なる変調方式で変調し、各データストリームを多重して同一回線で送信するＦＰＵ多重送信装置２１を備え、トライク局３が、多重されて伝送された信号を受信して、２つのデータストリームに分離し、送り返しデータを復調するＦＰＵ多重受信装置３２を備えている放送伝送システムである。【選択図】        図２
2019087895.tif 000002
【特許請求の範囲】
【請求項１】
放送用の素材データを伝送すると共に、放送中の映像を送り返す送り返しデータを伝送する放送伝送システムであって、
第１のチャネル、第２のチャネル、第３のチャネルを用い、
前記第２のチャネルから前記送り返しデータを受信すると共に、前記第１のチャネルを用いて、ＯＦＤＭのスペクトル上に、同一スペクトルで重畳する階層分割多重方式により、前記第１の素材データを第１の変調方式で変調させた第１階層のストリームと、前記送り返しデータを第２の変調方式で変調させた第２階層のストリームとを生成して、多重化して送信する第１の放送装置と、
前記第１のチャネルから前記第２階層のストリームを抽出して前記送り返しデータを受信すると共に、第２の素材データを前記第３のチャネルで送信する第２の放送装置と、
前記第３のチャネルから前記第２の素材データを受信すると共に、前記第２のチャネルで前記送り返しデータを送信する第３の放送装置とを有することを特徴とする放送伝送システム。
【請求項２】
放送用の素材データを伝送すると共に、放送中の映像を送り返す送り返しデータを伝送する放送伝送システムであって、
第１のチャネル、第２のチャネル、第３のチャネルを用い、
前記第１のチャネルから第１の素材データを受信し、前記第３のチャネルから第２の素材データを受信すると共に、前記第２のチャネルを用いて、ＯＦＤＭのスペクトル上に、同一スペクトルで重畳する階層分割多重方式により、前記送り返しデータを第１の変調方式で変調させた第１階層のストリームと、前記送り返しデータを第２の変調方式で変調させた第２階層のストリームとを生成して、多重化して送信する第１の放送装置と、
前記第２のチャネルから第１階層のストリームを抽出して前記送り返しデータを受信すると共に、前記第１の素材データを前記第１のチャネルで送信する第２の放送装置と、
前記第２のチャネルから第２階層のストリームを抽出して前記送り返しデータを受信すると共に、第２の素材データを前記第３のチャネルで送信する第３の放送装置とを有することを特徴とする放送伝送システム。
【請求項３】
送り返しデータの代わりに指示データを用いるようにし、第１階層のデータストリームと第２階層のデータストリームとに異なる指示データを含めることを特徴とする請求項１又は２記載の放送伝送システム。
【発明の詳細な説明】
【技術分野】
【０００１】
本発明は、放送素材を伝送する放送伝送システムに係り、特に中継現場にオンエア映像を送り返す際の回線効率を向上させ、コストの低減を図ることができる放送伝送システムに関する。
【背景技術】
【０００２】
［先行技術の説明］
現場で撮影した番組素材を放送局に伝送する際には、ＦＰＵ（Field Pick-up Unit；テレビジョン放送用の無線中継装置）が用いられる。通常は、１つの素材の伝送に１回線を占有する。
【０００３】
放送事業者が生中継番組のための素材を伝送する場合、中継現場において、現在オンエアされている映像を認識する必要がある。
地上デジタル放送波を直接現場で受信すると、編集や伝送の影響により、実際の現場の状況から５秒〜１０秒程度の遅延が発生してしまう。
そのため、放送局から中継現場に対してオンエア映像の送り返しを行っている。
【０００４】
放送局と現場との掛け合い等に対応するために、生中継では送り返しにＦＰＵを用いたり、ＬＴＥ（Long Time Evolution）などの一般回線を用いて、放送局から中継現場まで低遅延の送り返し映像を伝送している。
【０００５】
［従来の放送伝送システムの運用例（１）：図８］
従来の放送伝送システムの運用例（１）について図８を用いて説明する。図８は、従来の放送伝送システムの運用例（１）を示す模式説明図である。図８では、ロードレース中継の場合を示している。
図８に示すように、従来の放送伝送システムは、放送局７１と、中継局（中継車に搭載された移動局）７２と、トライク局（トライクに搭載された移動局）７３とを備え、中継局７２及びトライク局７３でカメラから取得した映像・音声データは放送局７１に送信され、放送局７１で編集加工が施されて放送波として出力される。
【０００６】
ここで、中継局７２で取得された映像・音声データは、ＦＰＵ回線のチャネル（channel）１を用いて放送局７１に送信され、トライク局７３で取得された映像・音声データは、ＦＰＵ回線のチャネル３を用いて放送局７１に送信される。
【０００７】
そして、放送局７１からの送り返し映像は、中継局７２に対してチャネル２を用いて送信され、トライク局７３に対してチャネル４を用いて送信される。
すなわち、現場から放送局７１への素材の伝送と、放送局７１から中継局７２、トライク局７３への送り返し映像の伝送で、合計４回線占有することになる。
【０００８】
［従来の放送伝送システムの運用例（２）：図９］
次に、従来の放送伝送システムの運用例（２）について図９を用いて説明する。図９は、従来の放送伝送システムの運用例（２）を示す模式説明図である。図９では、ゴルフ中継の場合を示している。
ゴルフ中継では、一つの大会の番組で、異なる送信点からの映像素材を伝送する場合がある。
複数のホールから送られた映像・音声データは、主中継局を介して放送局に送信される。
【０００９】
図９の例では、主中継局７４と、移動局７５，７６とを備えている。
例えば、移動局７５はホールＡの映像を取得し、ＦＰＵ回線のチャネル１を用いて主中継局７４に送信し、移動局７６はホールＢの映像を取得して、チャネル４を用いて主中継局７４に送信する。
【００１０】
そして、主中継局７４から移動局７５に対してチャネル２を用いて送り返し映像を送信し、移動局７６に対してチャネル３を用いて送り返し映像を送信する。
この場合も、合計４回線占有している。
送り返し映像の代わりに、主中継局７４にいるディレクター等が、各ホールに指示を出すための指示信号が送信されることがある。
【００１１】
［関連技術］
尚、放送伝送システムに関する従来技術としては、特開２０１７−４１７８１号公報「受信装置」（特許文献１）、特開２０１４−６４２７３号公報「送信装置」（特許文献２）がある。
特許文献１には、移動局の送信アンテナの位置に追従させて、マルチ受信を行う複数の受信アンテナの向きを効率よく動作制御する受信装置が記載されている。
特許文献２には、ＴＭＣＣキャリアの反転動作を加えることで、悪条件の伝送路において伝送特性を向上させる送信装置が記載されている。
また、テレビジョン放送番組素材伝送に関する標準規格として、非特許文献１がある。
【先行技術文献】
【特許文献】
【００１２】
【特許文献１】特開２０１７−４１７８１号公報
【特許文献２】特開２０１４−６４２７３号公報
【非特許文献】
【００１３】
【非特許文献１】テレビジョン放送番組素材伝送用可搬形ＯＦＤＭ方式デジタル無線伝送システム（ＡＲＩＢ  ＳＴＤ−Ｂ３３）
【発明の概要】
【発明が解決しようとする課題】
【００１４】
上述したように、従来の放送伝送装置では、低遅延で中継現場に放送素材を送り返すために、ＦＰＵ回線を用いると占有回線が増えて回線効率が低下し、また、ＦＰＵ回線の代わりに一般ネットワーク回線を用いると回線使用料がかかるためコストが増大してしまうという問題点があった。
【００１５】
本発明は上記実状に鑑みて為されたもので、低遅延で中継現場に放送素材を送り返す際の回線効率を向上させ、コストの低減を図ることができる放送伝送システムを提供することを目的とする。
【課題を解決するための手段】
【００１６】
上記従来例の問題点を解決するための本発明は、放送用の素材データを伝送すると共に、放送中の映像を送り返す送り返しデータを伝送する放送伝送システムであって、第１のチャネル、第２のチャネル、第３のチャネルを用い、第２のチャネルから送り返しデータを受信すると共に、第１のチャネルを用いて、ＯＦＤＭのスペクトル上に、同一スペクトルで重畳する階層分割多重方式により、第１の素材データを第１の変調方式で変調させた第１階層のストリームと、送り返しデータを第２の変調方式で変調させた第２階層のストリームとを生成して、多重化して送信する第１の放送装置（中継局）と、第１のチャネルから第２階層のストリームを抽出して送り返しデータを受信すると共に、第２の素材データを第３のチャネルで送信する第２の放送装置（トライク局）と、第３のチャネルから第２の素材データを受信すると共に、第２のチャネルで送り返しデータを送信する第３の放送装置（放送局）とを有することを特徴とする。
【００１７】
本発明は、放送用の素材データを伝送すると共に、放送中の映像を送り返す送り返しデータを伝送する放送伝送システムであって、第１のチャネル、第２のチャネル、第３のチャネルを用い、第１のチャネルから第１の素材データを受信し、第３のチャネルから第２の素材データを受信すると共に、第２のチャネルを用いて、ＯＦＤＭのスペクトル上に、同一スペクトルで重畳する階層分割多重方式により、送り返しデータを第１の変調方式で変調させた第１階層のストリームと、送り返しデータを第２の変調方式で変調させた第２階層のストリームとを生成して、多重化して送信する第１の放送装置（主中継局）と、第２のチャネルから第１階層のストリームを抽出して送り返しデータを受信すると共に、第１の素材データを第１のチャネルで送信する第２の放送装置（第１の移動局）と、第２のチャネルから第２階層のストリームを抽出して送り返しデータを受信すると共に、第２の素材データを第３のチャネルで送信する第３の放送装置（第２の移動局）とを有することを特徴とする。
【００１８】
本発明は、上記放送伝送システムにおいて、送り返しデータの代わりに指示データを用いるようにし、第１階層のデータストリームと第２階層のデータストリームとに異なる指示データを含めることを特徴とする。
【発明の効果】
【００１９】
本発明によれば、第２のチャネルから送り返しデータを受信すると共に、第１のチャネルを用いて、ＯＦＤＭのスペクトル上に、同一スペクトルで重畳する階層分割多重方式により、第１の素材データを第１の変調方式で変調させた第１階層のストリームと、送り返しデータを第２の変調方式で変調させた第２階層のストリームとを生成して、多重化して送信する第１の放送装置（中継局）と、第１のチャネルから第２階層のストリームを抽出して送り返しデータを受信すると共に、第２の素材データを第３のチャネルで送信する第２の放送装置（トライク局）と、第３のチャネルから第２の素材データを受信すると共に、第２のチャネルで送り返しデータを送信する第３の放送装置（放送局）とを有する放送伝送システムとしているので、回線効率を向上させると共に、一般ネットワークを利用しないようにしてコストを低減できる効果がある。
【００２０】
本発明によれば、第１のチャネルから第１の素材データを受信し、第３のチャネルから第２の素材データを受信すると共に、第２のチャネルを用いて、ＯＦＤＭのスペクトル上に、同一スペクトルで重畳する階層分割多重方式により、送り返しデータを第１の変調方式で変調させた第１階層のストリームと、送り返しデータを第２の変調方式で変調させた第２階層のストリームとを生成して、多重化して送信する第１の放送装置（主中継局）と、第２のチャネルから第１階層のストリームを抽出して送り返しデータを受信すると共に、第１の素材データを第１のチャネルで送信する第２の放送装置（第１の移動局）と、第２のチャネルから第２階層のストリームを抽出して送り返しデータを受信すると共に、第２の素材データを第３のチャネルで送信する第３の放送装置（第２の移動局）とを有する放送伝送システムとしているので、回線効率を向上させると共に、一般ネットワークを利用しないようにしてコストを低減できる効果がある。
【図面の簡単な説明】
【００２１】
【図１】本放送伝送システムの運用例を示す模式説明図である。
【図２】本放送伝送システムの概略構成図である。
【図３】本放送伝送システムの機材構成を示す構成ブロック図である。
【図４】中継局におけるＬＤＭ−ＦＰＵ送信装置の変調部の構成を示す説明図である。
【図５】トライク局におけるＬＤＭ−ＦＰＵ受信装置の復調部の概略構成を示す説明図である。
【図６】別の放送伝送システムの運用例を示す模式説明図である。
【図７】別の放送伝送システムの概略構成図である。
【図８】従来の放送伝送システムの運用例（１）を示す模式説明図である。
【図９】従来の放送伝送システムの運用例（２）を示す模式説明図である。
【発明を実施するための形態】
【００２２】
本発明の実施の形態について図面を参照しながら説明する。
［実施の形態の概要］
［本放送伝送システムの概要］
本発明の実施の形態に係る放送伝送システム（本放送伝送システム）は、中継局が素材Ａデータを放送局に送信し、トライク局が素材Ｂデータを放送局に送信し、放送局が中継局及びトライク局にオンエア映像を送り返すものであり、中継局が、受信装置から受信した送り返し映像データと、素材Ａデータとを異なる変調方式で変調し、各データストリームを多重して同一回線で送信するＦＰＵ多重送信装置を備え、トライク局が、多重されて伝送された信号を受信して、２つのデータストリームに分離し、送り返し映像データを復調するＦＰＵ多重受信装置を備えており、中継局において、素材Ａデータとトライク局への送り返し映像データを多重化して同一回線で伝送することができ、回線効率を向上させると共に、一般ネットワークを利用しないようにしてコストを低減することができる効果がある。
【００２３】
［別の放送伝送システムの概要］
また、本発明の別の実施の形態に係る放送伝送システム（別の放送伝送システム）は、第１の移動局が素材データを主中継局に送信し、第２の移動局が素材データを主中継局に送信し、主中継局が第１の移動局及び第２の移動局にオンエア映像を送り返すものであり、主中継局が、送り返し映像データを異なる変調方式で変調し、各データストリームを多重して同一回線で送信するＦＰＵ多重送信装置を備え、第１の移動局が、多重されて伝送された信号を受信して、２つのデータストリームに分離し、第１階層から送り返し映像データを復調するＦＰＵ受信装置を備えており、第２の移動局が、多重されて伝送された信号を受信して、２つのデータストリームに分離し、第２階層から送り返し映像データを復調するＦＰＵ多重受信装置を備えており、主中継局において、第１の移動局と第２の移動局への送り返し映像データを多重化して同一回線で伝送することができ、回線効率を向上させると共に、一般ネットワークを利用しないようにしてコストを低減することができる効果がある。
【００２４】
［本放送伝送システムの運用例：図１］
本放送伝送システムの運用例について図１を参照しながら説明する。図１は、本放送伝送システムの運用例を示す模式説明図である。
図１に示すように、本放送伝送システムは、放送局１と、中継局２と、トライク局３とを備えている。
放送局１は、図８に示した従来の放送局７１と同様に、中継局２及びトライク局３で取得された映像・音声データが受信して、編集加工後、放送波として出力するものである。
但し、本放送伝送システムの特徴として、送信局１が送信した送り返しデータは中継局２のみが受信する。
【００２５】
中継局２は、本放送伝送システムの特徴部分であり、ＯＦＤＭ（Orthogonal Frequency Division Multiplexing；直交周波数分割多重）の同一スペクトル上で異なるストリームを重畳する階層分割多重（ＬＤＭ；Layered Division Multiplexing）方式の送信装置（ＬＤＭ−ＦＰＵ送信装置）を備えており、同一回線に異なるデータを多重して伝送する。
【００２６】
また、トライク局３も本放送伝送システムの特徴部分であり、中継局２において多重化されて伝送された信号から、所望の信号（ここでは送り返し映像）を分離して、復調する受信装置（ＬＤＭ−ＦＰＵ受信装置）を備えている。
【００２７】
本放送伝送システムでは、ＬＤＭ方式を用いることにより、２つの異なるデータを１つの回線を用いて多重化して伝送して、使用する回線数を削減するものである。
ここでは、中継局２が、チャネル１の第１階層（Upper Layer;ＵＬ）を用いて、自己が取得した映像素材（映像・音声データ／素材データ）を送信し、チャネル１の第２階層（Lower Layer;ＬＬ）を用いて放送局１からの送り返しデータをトライク局３に送信している。
【００２８】
［本放送伝送システムの動作］
本放送伝送システムの動作について簡単に説明する。
図１に示すように、中継局２は、自己が取得した映像素材（素材データ）をチャネル１のＵＬを用いて放送局１向けに送信する。
トライク局３は、自己が取得した映像素材を、チャネル３を用いて放送局１向けに送信する。
放送局１は、各映像素材を受信してオンエア映像を生成し、送り返しデータを、チャネル２を用いて中継局２向けに送信する。
【００２９】
中継局２は、チャネル２で送り返しデータを受信すると、モニタに出力すると共に、チャネル１のＬＬに多重化して、送信する。
つまり、チャネル１にはＵＬに中継局２からの素材データ、ＬＬに放送局１からの送り返しデータが多重化されて伝送される。
トライク局３は、多重化されたチャネル１の受信信号からＬＬのデータストリームを分離し、復調して送り返し映像を得る。
【００３０】
これにより、本放送伝送システムは、３回線だけで、中継局２とトライク局３からの２種類の素材データを送信局１に伝送すると共に、中継局２とトライク局３の両方に送り返しデータを伝送することができるものである。
【００３１】
［本放送伝送システムの概略構成：図２］
次に、本放送伝送システムの概略構成について図２を用いて説明する。図２は、本放送伝送システムの概略構成図である。
図２に示すように、送信局１は、ＦＰＵ受信装置１１，１３と、ＦＰＵ送信装置１２とを備え、中継局２は、ＬＤＭ−ＦＰＵ送信装置２１と、ＦＰＵ受信装置２２とを備え、トライク局３は、ＦＰＵ送信装置３１と、ＬＤＭ−ＦＰＵ受信装置３２とを備えている。
【００３２】
ＦＰＵ受信装置１１，１３，２２は、放送用の素材データを受信する放送用受信装置である。
ＦＰＵ送信装置１２、３１は、放送用の素材データを送信する放送用受信装置である。
ＬＤＭ−ＦＰＵ送信装置２１は、ＯＦＤＭの同一スペクトル上で異なるストリームを重畳するＬＤＭ方式で素材データと送り返しデータとを多重化して送信する送信装置である。
ＬＤＭ−ＦＰＵ受信装置３２は、ＬＤＭ方式で多重化されて伝送された信号から、送り返しデータを分離して、復調する受信装置である。
【００３３】
放送局１は、ＦＰＵ受信装置１１でチャネル１のＵＬを用いて中継局２からの素材Ａデータを受信し、ＦＰＵ受信装置１３でチャネル３を用いてトライク局３からの素材Ｂデータを受信する。
また、放送局１は、ＦＰＵ送信装置１２でチャネル２を用いて、オンエア映像を送り返しデータとして中継局２向けに送信する。
【００３４】
中継局２は、ＦＰＵ受信装置２２でチャネル２の送り返しデータを受信して、ＬＤＭ−ＦＰＵ送信装置２１でチャネル１を用いてＬＤＭ方式により、素材Ａデータを第１の変調方式で変調してＵＬのデータストリームを生成し、受信した送り返しデータを第２の変調方式で変調してＬＬのデータストリームを生成して多重化し、多重化された信号を送信する。
トライク局３は、ＬＤＭ−ＦＰＵ受信装置３２でチャネル１の多重化された信号を中継局２から受信してＬＬのデータストリームを分離し、復調して送り返しデータを取得する。
【００３５】
従来の放送局は、送り返し用として、ＦＰＵ送信装置を２回線分備えていたが、本放送伝送システムでは、１回線分で済み、回線効率を向上させ、装置構成を簡易にしてコストを低減できるものである。
更に、放送局１に用いられるＦＰＵ送信装置及びＦＰＵ受信装置は、従来と同様のものであり、放送局１の構成を大幅に変更する必要はなく、低コストで実現可能となっている。
【００３６】
［本放送伝送システムの機材構成：図３］
次に、本放送伝送システムの機材構成について図３を参照しながら説明する。図３は、本放送伝送システムの機材構成を示す構成ブロック図である。
図３では、図２に示した概略構成を更に具体的な構成ブロックにしたものである。
放送局１は、ＦＰＵ受信装置１１と、ＦＰＵ送信装置１２と、ＦＰＵ受信装置１３と、デコーダ（ＤＥＣＯＤＥＲ）１４と、エンコーダ（ＥＮＣＯＤＥＲ）１５と、デコーダ（ＤＥＣＯＤＥＲ）１６とを備えている。
【００３７】
中継局２は、ＬＤＭ−ＦＰＵ送信装置２１と、ＦＰＵ受信装置２２と、デコーダ（ＤＥＣＯＤＥＲ）２３と、エンコーダ（ＥＮＣＯＤＥＲ）２４、エンコーダ（ＥＮＣＯＤＥＲ）２５とを備えている。
トライク局３は、ＦＰＵ送信装置３１と、ＬＤＭ−ＦＰＵ受信装置３２と、エンコーダ（ＥＮＣＯＤＥＲ）３３と、デコーダ（ＤＥＣＯＤＥＲ）３４とを備えている。
【００３８】
ここで、ＦＰＵ送信装置１２，３１は、第１の変調方式として、例えば、ＱＰＳＫ変調方式により変調を行い、ＦＰＵ受信装置１１，１３，２２は、第１の復調方式として、例えば、ＱＰＳＫ復調方式により復調を行う。
また、ＬＤＭ−ＦＰＵ送信装置２１は、階層分割多重を行う際に、第１の変調方式として、例えば、ＱＰＳＫ変調方式により変調を行い、第２の変調方式として、例えば、１６ＱＡＭ変調方式により変調を行う。
また、ＬＤＭ−ＦＰＵ受信装置３２は、階層分離を行う際には、第１の復調方式として、例えば、ＱＰＳＫ復調方式により復調を行い、第２の復調方式として、例えば、１６ＱＡＭ復調方式により復調を行う。
【００３９】
［各部の構成とデータの流れ］
各部の構成をデータの流れに基づいて以下説明する。
トライク局３では、カメラ等で撮影・録音された放送用の素材Ｂデータをエンコーダ３３が符号化し、その符号化されたデータをＦＰＵ送信装置３１がチャネル３で放送局１に送信する。
放送局１において、ＦＰＵ受信装置１１がチャネル３でトライク局３のＦＰＵ送信装置３１から送信された素材Ｂデータを受信し、デコーダ１４に出力し、デコーダ１４が復号化して素材Ｂデータを出力する。
【００４０】
また、放送局１において、エンコーダ１５が送り返しデータを符号化し、ＦＰＵ送信装置１２が符号化された送り返しデータをチャネル２で中継局２に送信する。
中継局２において、ＦＰＵ受信装置２２がチャネル２で放送局１のＦＰＵ送信装置１２から送信された送り返しデータを受信し、デコーダ２３に出力し、デコーダ２３が復号化する。
【００４１】
更に、エンコーダ２４は、デコーダ２３からの復号化されたデータを入力して符号化し、ＬＤＭ−ＦＰＵ送信装置２１に出力する。また、デコーダ２５は、カメラからの放送用の素材Ａデータを入力して符号化し、ＬＤＭ−ＦＰＵ送信装置２１に出力する。
尚、ここでは中継局２において、デコード及びエンコードを行わずに、受信したデータをそのままＬＤＭ−ＦＰＵ送信装置２１に入力する構成としてもよい。
そして、ＬＤＭ−ＦＰＵ送信装置２１が、ＬＤＭ方式により、チャネル１を用いて素材ＡデータをＱＰＳＫ変調方式で変調してＵＬのデータストリームを生成し、符号化された送り返しデータを１６ＱＡＭ変調方式で変調してＬＬのデータストリームを生成し、多重化して送信する。
【００４２】
トライク局３において、ＬＤＭ−ＦＰＵ受信装置３２が、チャネル１で中継局２のＬＤＭ−ＦＰＵ送信装置２１から送信された多重化された信号を受信し、ＬＬのデータストリームを分離し、符号化された折り返しデータをデコーダ３４に出力する。
デコーダ３４は、ＬＤＭ−ＦＰＵ受信装置３２からの符号化された折り返しデータを復調して、送り返しデータをモニタに出力する。
【００４３】
また、放送局１において、ＦＰＵ受信装置１３が、チャネル１で中継局３のＬＤＭ−ＦＰＵ送信装置２１から送信された多重化された信号を受信し、ＵＬのデータストリームを分離し、符号化された素材Ａデータをデコーダ１６に出力する。
尚、ＦＰＵ受信装置１３は、ＱＰＳＫ復調方式で復調することで多重化された信号からＵＬのデータストリームの素材Ａデータを抽出できるものである。
デコーダ１６は、ＦＰＵ受信装置１３からの符号化された素材Ａデータを復調して出力する。
【００４４】
［遅延時間］
ここで、放送局１からトライク局３までの送り返しに掛かる遅延時間を求める。
ＦＰＵの伝送に必要な時間は、時間インターリーブが支配的となる。移動中継を想定して、時間インターリーブを３７８ｍｓｅｃと仮定し、映像・音声の圧縮のためのエンコーダとデコーダは対で１００ｍｓｅｃと仮定する。
【００４５】
図３の構成で、概算すると、トライク局３で撮影された映像データがオンエアに使用されている時では、ＦＰＵで３回線分の遅延が発生し、エンコーダ／デコーダで３対向の遅延が発生する。そのため、３回線分の時間インターリーブ：１１３４ｍｓｅｃ（＝３７８ｍｓｅｃ×３）と３対向のエンコーダ／デコーダの遅延時間：３００ｍｓｅｃ（＝１００ｍｓｅｃ×３）で、１．４３ｓｅｃとなる。
【００４６】
トライク局３又は中継局２以外の映像データがオンエアされている場合では、ＦＰＵが２回線分の遅延が発生し、エンコーダ／デコーダで２対向の遅延が発生する。そのため、２回線分の時間インターリーブ：７５６ｍｓｅｃ（＝３７８ｍｓｅｃ×２）と１対向のエンコーダ／デコーダの遅延時間：２００ｍｓｅｃ（＝１００ｍｓｅｃ×２）で、０．９５ｓｅｃとなる。
いずれの場合も、低遅延での送り返しデータの伝送が実現可能である。
【００４７】
［ＬＤＭ方式の送信装置の変調部：図４］
次に、中継局２におけるＬＤＭ−ＦＰＵ送信装置２１の変調部の構成について図４を用いて説明する。図４は、中継局におけるＬＤＭ−ＦＰＵ送信装置の変調部の構成を示す説明図である。
図４では、ＵＬ用のデータ（ＵＬデータ、素材Ａデータ）とＬＬ用のデータ（ＬＬデータ、送り返しデータ）とをデジタル信号処理において多重する構成を示している。
【００４８】
図４に示すように、ＬＤＭ方式の変調部（デジタル多重方式）は、ＦＥＣ（Forward Error Correction；前方誤り訂正）部８３ａ，８３ｂと、ビットインタリーブ部（Bit-ILV）８４ａ，８４ｂと、マッピング部（MAPPING）８５ａ，８５ｂと、重み付け部８６と、加算器８７と、ＯＦＤＭ変調部８８と、直交変調部８９と、ＤＡＣ（Digital Analog Converter）部９０とを備えている。
尚、添え字のａはＵＬデータ、ｂはＬＬデータについて処理を行うものである。
【００４９】
そして、図４の変調部において、ＵＬデータは、ＦＥＣ部８３ａで誤り訂正符号化され、ビットインタリーブ部８４ａでビットインタリーブが施され、マッピング部８５ａでマッピングされ、加算器８７に出力される。
ここで、ＵＬデータは、例えばＱＰＳＫ（Quadrature Phase Shift Keying）変調される。
【００５０】
また、ＬＬデータは、ＦＥＣ部８３ｂで誤り訂正符号化され、ビットインタリーブ部８４ｂでビットインタリーブが施され、マッピング部８５ｂでマッピングされ、重み付け部８６で所定の重み付け係数が乗算されて、加算器８７に出力される。
ＬＬデータは、例えば１６ＱＡＭ（Quadrature Amplitude Modulation）変調される。
【００５１】
そして、加算器８７において、ＵＬデータと重み付けされたＬＬデータとが重畳され、ＯＦＤＭ変調部８８でＯＦＤＭ変調され、直交変調部８９で直交変調され、ＤＡＣ部９０でアナログ信号に変換されて、図示しないＦＰＵ送信高周波部に出力され、無線送信される。
【００５２】
このように、デジタル信号処理レベルで多重する場合、ＱＰＳＫ変調した第一階層（ＵＬ）のストリームと、１６ＱＡＭ変調した第二階層（ＬＬ）のストリームを多値変調部（マッピング部）の後段で多重する。第二階層のストリームを重畳する大きさ（割合）は、重み付け部８６における重み付け係数によって調整する。
このようにして、中継局２のＬＤＭ−ＦＰＵ送信装置２１では、同一回線（チャネル１）で素材Ａデータと送り返しデータとを重畳して送信するものである。
【００５３】
尚、放送局１は、従来と同様の構成であり、ＬＤＭ−ＦＰＵ受信装置を備えていないが、多重化されたデータストリームを受信して、ＱＰＳＫ復調することにより、ＵＬデータを取り出して素材Ａデータを得ることができるものである。
【００５４】
［ＬＤＭ方式の受信装置の復調部：図５］
次に、トライク局３におけるＬＤＭ−ＦＰＵ受信装置の復調部の概略構成について図５を用いて説明する。図５は、トライク局におけるＬＤＭ−ＦＰＵ受信装置の復調部の概略構成を示す説明図である。
図５に示すように、復調部は、ＬＤＭ−ＦＰＵ受信装置３２に設けられており、ＵＬデータ復調部９５と、遅延バッファ９６と、減算器９７とを備えており、ＱＰＳＫ変調されたＵＬデータと１６ＱＡＭ変調されたＬＬデータとを分離する分離部として動作する。
【００５５】
図５の復調部に入力された受信信号は、２つに分離され、その一方は、ＵＬデータ復調部９５でＵＬ用の復調を行って、多重された信号からＱＰＳＫ変調されたＵＬデータ（ＱＰＳＫ変調信号、ＵＬデータストリーム）を取り出し、ＵＬデータ用のデマッピング処理部（図示せず）に出力すると共に、減算器９７に入力する。
【００５６】
また、分離された他方の受信信号は、遅延バッファ９６において、第１階層（ＵＬ）の復調に要する時間分遅延され、減算器９７に入力される。
減算器９７では、遅延された受信信号からＱＰＳＫ変調信号を差し引くことにより、１６ＱＡＭで変調された信号（１６ＱＡＭ変調信号、ＬＬデータストリーム）を取り出すことができ、これをＬＬデータ用のデマッピング処理部に出力する。
【００５７】
つまり、トライク局３のＬＤＭ−ＦＰＵ受信装置３２では、ＵＬのＱＰＳＫ変調信号はＬＬの１６ＱＡＭ変調信号を分離するために用いられる。
ＬＬデータ用のデマッピング処理部では、１６ＱＡＭ復調が行われ、復調された送り返しデータは、モニタに出力される。
【００５８】
［別の放送伝送システム：図６〜７］
次に、別の放送伝送システムについて図を参照しながら説明する。図６は、別の放送伝送システムの運用例を示す模式説明図であり、図７は、別の放送伝送システムの概略構成図である。
図６に示すように、別の放送伝送システムは、主中継局４と、ホールＡに設けられた移動局５（第１の移動局）と、ホールＢに設けられた移動局６（第２の移動局）とを備えている。
【００５９】
主中継局４は、図９に示した従来の主中継局７４と同様に、移動局５及び移動局６で取得された映像・音声データを受信して、放送局に送信するものである。
但し、別の放送伝送システムの特徴として、主中継局４が同一チャネルに移動局５，６向けの送り返しデータ又は指示データを多重化して伝送し、移動局５，６がそれぞれのデータを受信する。
ここで、指示データとは、指示音声や指示音声を多重した送り返しデータなど、送り返しデータのみとは異なったデータである。
【００６０】
具体的には、主中継局４は、ＯＦＤＭの同一スペクトル上でＬＤＭ方式により多重化して伝送する送信装置（ＬＤＭ−ＦＰＵ送信装置）を備え、送り返しデータ等をチャネル２のＵＬを用いて移動局５向けに送信すると共に、送り返しデータ等をチャネル２のＬＬを用いて移動局６向けに送信する。
また、主中継局４は、移動局５からの素材データをチャネル１で受信する受信装置（ＦＰＵ受信装置）と、移動局６からの素材データをチャネル３で受信する受信装置（ＦＰＵ受信装置）を備えている。
【００６１】
移動局５は、取得した素材データをチャネル１で主中継局４に送信する送信装置（ＦＰＵ送信装置）と、多重化されたチャネル２からＵＬのデータストリームを分離し、復調して送り返しデータ等を取得する受信装置（ＦＰＵ受信装置）を備えている。
【００６２】
移動局６は、取得した素材データをチャネル３で主中継局４に送信する送信装置（ＦＰＵ送信装置）と、多重化されたチャネル２の受信信号からＬＬのデータストリームを分離し、復調して送り返しデータ等を取得する受信装置（ＬＤＭ−ＦＰＵ受信装置）を備えている。
【００６３】
［別の放送伝送システムの動作］
別の放送伝送システムの動作について簡単に説明する。
図６に示すように、移動局５は、ホールＡで自己が取得した素材データをチャネル１で主中継局４に送信する。
また、移動局６も、ホールＢで自己が取得した素材データをチャネル３で主中継局４に送信する。
主中継局４は、移動局５からの素材データをチャネル１で受信し、移動局６からの素材データをチャネル３で受信する。
【００６４】
主中継局４は、受信した素材データから生成された送り返しデータ等をＬＤＭ方式によりチャネル２のＬＬとＵＬに多重化して移動局５，６に送信する。
移動局５は、チャネル２で多重化された信号からＵＬのデータストリームを分離し、復調して送り返しデータ等を得る。
移動局５は、チャネル２で多重化された信号からＬＬのデータストリームを分離し、復調して送り返しデータ等を得る。
【００６５】
［別の放送伝送システムの概略構成：図７］
次に、別の放送伝送システムの概略構成について図７を用いて説明する。図７は、別の放送伝送システムの概略構成図である。
図７に示すように、主中継局４は、ＦＰＵ受信装置（ＦＰＵ  ＲＸ）４１，４３と、ＬＤＭ−ＦＰＵ送信装置（ＬＤＭ−ＦＰＵ  ＴＸ）４２とを備え、移動局５は、ＦＰＵ送信装置（ＦＰＵ  ＴＸ）５１と、ＦＰＵ受信装置５２とを備え、移動局６は、ＦＰＵ受信装置６１と、ＬＤＭ−ＦＰＵ受信装置（ＬＤＭ−ＦＰＵ  ＲＸ）６２とを備えている。
【００６６】
ＦＰＵ受信装置４１，４３，５２は、放送用の素材データを受信する放送用送信装置である。
ＦＰＵ送信装置５１、６１は、放送用の素材データを送信する放送用受信装置である。
ＬＤＭ−ＦＰＵ送信装置４２は、ＯＦＤＭの同一スペクトル上で異なるストリームを重畳するＬＤＭ方式で送り返しデータ等を多重化して送信する送信装置である。尚、ＬＤＭ−ＦＰＵ送信装置４２の変調部は、図４で説明したものと同様である。
ＬＤＭ−ＦＰＵ受信装置６２は、ＬＤＭ方式で多重化されて伝送された信号から、送り返しデータ等を分離して、復調する受信装置である。尚、ＬＤＭ−ＦＰＵ受信装置６２の復調部は、図５で説明したものと同様である。
【００６７】
ここで、送り返しデータ等には、移動局５，６に対する個別の指示データが含まれる。
つまり、チャネル２のＵＬに移動局５用の指示データＡを、チャネル２のＬＬに移動局６用の指示データＢを多重化して送信するようにしてもよい。
【００６８】
主中継局４は、ＦＰＵ受信装置４１でチャネル１を用いて移動局５からの素材データを受信し、ＦＰＵ受信装置４３でチャネル３を用いて移動局６からの素材データを受信する。
また、主中継局４は、ＬＤＭ−ＦＰＵ送信装置４２でチャネル２を用いて、送り返しデータ等を多重化して移動局５，６向けに送信する。
【００６９】
従来の主中継局は、送り返し用として、ＦＰＵ送信装置を２回線分備えていたが、別の放送伝送システムでは、１回線分で済み、回線効率を向上させ、装置構成を簡易にしてコストを低減できるものである。
更に、移動局５に用いられるＦＰＵ送信装置及びＦＰＵ受信装置は、従来と同様のものであり、移動局５の構成を大幅に変更する必要はなく、低コストで実現可能となっている。
【００７０】
図７では、移動局５，６を異なる構成としたが、移動局として、ＬＤＭ−ＦＰＵ受信装置とＦＰＵ送信装置とを備え、チャネル２のＬＬのデータストリームを分離する場合には、第２の復調方式で復調したデータを取得し、チャネル２のＵＬのデータストリームを分離する場合には、第１の復調方式で復調したデータを取得するよう、移動局の機器に応じて設定を変更すれば、一種類の移動局で利用可能となる。
【００７１】
［実施の形態の効果］
本放送伝送システムによれば、中継局２が素材Ａデータを放送局１に送信し、トライク局３が素材Ｂデータを放送局１に送信し、放送局１が中継局２とトライク局３に送り返しデータを送信し、中継局２が、放送局１から受信した送り返しデータと、素材Ａデータとを異なる変調方式で変調し、各データストリームを多重して同一回線で送信するＦＰＵ多重送信装置２１を備え、トライク局３が、多重されて伝送された信号を受信して、２つのデータストリームに分離し、送り返しデータを復調するＦＰＵ多重受信装置３２を備えているので、中継局２において、素材Ａデータとトライク局３への送り返しデータを多重化して同一回線で伝送することができ、回線効率を向上させると共に、一般ネットワークを利用しないようにしてコストを低減することができる効果がある。
【００７２】
別の放送伝送システムによれば、移動局５が素材データを主中継局４に送信し、移動局６が素材データを主中継局４に送信し、主中継局４が移動局５と移動局６に送り返しデータを送信し、主中継局４が、送り返しデータを異なる変調方式で変調し、各データストリームを多重して同一回線で送信するＦＰＵ多重送信装置４２を備え、移動局５が、多重されて伝送された信号を受信して、２つのデータストリームに分離し、第１階層から送り返しデータを復調するＦＰＵ受信装置５２を備えており、移動局６が、多重されて伝送された信号を受信して、２つのデータストリームに分離し、第２階層から送り返しデータを復調するＦＰＵ多重受信装置６２を備えており、主中継局４において、移動局５と移動局６への送り返しデータを多重化して同一回線で伝送することができ、回線効率を向上させると共に、一般ネットワークを利用しないようにしてコストを低減することができる効果がある。
【産業上の利用可能性】
【００７３】
本発明は、低遅延で中継現場に放送素材を送り返す際の回線効率を向上させ、コストの低減を図ることができる放送伝送システムに適している。
【符号の説明】
【００７４】
１…放送局、  ２…中継局、  ３…トライク局、  ４…主中継局、  ５…第１の移動局、  ６…第２の移動局、  １１…ＦＰＵ受信装置、  １２…ＦＰＵ送信装置、  １３…ＦＰＵ受信装置、  １４…デコーダ、  １５…エンコーダ、  １６…デコーダ、  ２１…ＬＤＭ−ＦＰＵ送信装置、  ２２…ＦＰＵ受信装置、  ２３…デコーダ、  ２４…エンコーダ、  ３１…ＦＰＵ送信装置、  ３２…ＬＤＭ−ＦＰＵ受信装置、  ３３…エンコーダ、  ３４…デコーダ、  ４１…ＦＰＵ受信装置、  ４２…ＬＤＭ−ＦＰＵ送信装置、  ４３…ＦＰＵ受信装置、  ５１…ＦＰＵ送信装置、  ５２…ＦＰＵ受信装置、  ６１…ＦＰＵ受信装置、  ６２…ＬＤＭ−ＦＰＵ受信装置、  ７１…放送局、  ７２…中継局、  ７３…トライク局、  ７４…主中継局、  ７５…移動局、  ７６…移動局、  ８３ａ，８３ｂ…ＦＥＣ部、  ８４ａ，８４ｂ…ビットインタリーブ部、  ８５ａ，８５ｂ…マッピング部、  ８６…重み付け部、  ８７…加算器、  ８８…ＯＦＤＭ変調部、  ８９…直交変調部、  ９０…ＤＡＣ部、  ９５…ＵＬデータ復調部、  ９６…遅延バッファ、  ９７…減算器
【図１】
2019087895.tif 000003
【図２】
2019087895.tif 000004
【図３】
2019087895.tif 000005
【図４】
2019087895.tif 000006
【図５】
2019087895.tif 000007
【図６】
2019087895.tif 000008
【図７】
2019087895.tif 000009
【図８】
2019087895.tif 000010
【図９】
2019087895.tif 000011